(57)【要約】      （修正有）【課題】分解組立ができるのみならず、運搬時や保管時に各部品がバラバラとならず、コンパクトなヘルメットを提供する。【解決手段】帽体を周方向に沿って上から頂部帽体４０、中央帽体３０、および基部帽体２０への三分割が可能なヘルメットに係る。基部帽２０の内寸Ｄ２０は、中央帽体３０の外寸Ｄ３０よりも大きく、且つ中央帽体３０の内寸Ｄ３１は、頂部帽体４０の外寸Ｄ４０よりも大きく形成する。基部帽体２０には、着用者の顎へ通すことでヘルメットが着用者から外れにくくするための顎紐１５の端部を固定しており、その顎紐１５は、基部帽体２０の内側へ中央帽体３０を入れるとともに、中央帽体３０の内側へ頂部帽体４０を入れた状態で固定可能とする。【選択図】図８
0003215347.tif 000002
【実用新案登録請求の範囲】
【請求項１】
着用者の頭部を覆う帽体を備えたヘルメットであって、
前記の帽体を周方向に沿って上から頂部帽体、中央帽体、および基部帽体への三分割が可能であるように形成するとともに、
前記の基部帽体の内寸は、前記の中央帽体の外寸よりも大きく、且つ
前記の中央帽体の内寸は、前記の頂部帽体の外寸よりも大きく形成し、
前記の基部帽体には、着用者の顎へ通すことでヘルメットが着用者から外れにくくするための顎紐の端部を固定しており、
その顎紐は、前記の基部帽体の内側へ前記の中央帽体を入れるとともに、前記の中央帽体の内側へ前記の頂部帽体を入れた状態で固定可能としたヘルメット。
【請求項２】
前記の頂部帽体には、着用者の頭部側における内部空間および外部を連通させる連通路と、
その連通路を前記の帽体における外表面から上方へ開閉可動な出窓体と、
前記の連通路を閉塞させた場合に前記の帽体における外表面と前記の出窓体の外表面とが円滑な状態となるように帽体と出窓体とが固定される固定構造と、
を備えた請求項１に記載のヘルメット。
【請求項３】
前記の固定構造は、前記の連通路を形成した状態を維持可能に形成するとともに、
前記の出窓体が前記の帽体に対して着脱可能とした請求項１または請求項２のいずれかに記載のヘルメット。
【請求項４】
前記の出窓体の外表面は、前記の帽体の外表面と色彩を異ならせることとした請求項１から請求項３のいずれかに記載のヘルメット。
【請求項５】
前記の出窓体は、前記の帽体における頭頂部側の後部に備えることとした請求項１から請求項４のいずれかに記載のヘルメット。
【請求項６】
前記の固定構造は、前記の連通路の大きさを複数段階で変更可能であるように形成した請求項１から請求項５のいずれかに記載のヘルメット。
【請求項７】
前記の固定構造における帽体側において、前記の連通路からの帽体内部への雨水の吹き込みを抑制するための水返し部を備えた請求項１から請求項６のいずれかに記載のヘルメット。
【請求項８】
前記の出窓体は、前記の帽体を形成する素材よりも軟質の樹脂成形体である請求項１から請求項７のいずれかに記載のヘルメット。
【請求項９】
前記の基部帽体の内側前部には、出し入れ可能なゴーグルを内蔵した請求項１から請求項８のいずれかに記載のヘルメット。
【請求項１０】
前記の基部帽体の内側後部には、出し入れ可能な日除けを内蔵した請求項１から請求項９のいずれかに記載のヘルメット。
【考案の詳細な説明】
【技術分野】
【０００１】
本考案は、たとえば、工事現場や災害現場などで用いるヘルメットに関する。持ち運びに便利な折り畳みヘルメットである。
【背景技術】
【０００２】
工事現場、災害現場などにおいて作業をする作業者は、落下物や障害物から頭部を守るため、ヘルメットを着用する。
ヘルメットは、落下物や障害物から頭部を守るという機能を果たすために、樹脂や金属などの素材にて略半球の外表面状の帽体を一体に形成したものが多い。
【０００３】
特許文献１、特許文献２、および特許文献３には、帽体を三分割することでコンパクトに収納可能なヘルメットが開示されている。
特許文献１に開示された技術は、特に、隣り合うパーツに対して連結具を備えることで分解組立を容易にする、という工夫をしている。
【０００４】
特許文献２に開示された技術は、特に、折り畳みができる構造でありながら、必要とされる衝撃吸収性能を確保できる折り畳みヘルメットとして、工夫がなされている。
特許文献３に開示された技術は、特に、帽体の前後、上下のみならず、左右からの力が加わったとしても、容易に撓まず、強固なヘルメットを提供するため、繋ぎ目を支持部が下方から覆い、繋ぎ目にも所定の強度を有するように工夫されている。
【先行技術文献】
【特許文献】
【０００５】
【特許文献１】実用新案登録第３１２２７２６号公報
【特許文献２】特開２０１４−２３４５６２号公報
【特許文献３】特開２０１６−２１１１１１号公報
【考案の概要】
【考案が解決しようとする課題】
【０００６】
そもそも、ヘルメットを折り畳み構造とする、というのは、分解時には帽体部分に形成される空間を減らすことで、占有する空間の体積を減らすことについて工夫されている。特許文献１、特許文献２、および特許文献３に開示されたいずれの技術も、ヘルメット折り畳むことができるために、占有する空間が減ることで、使用しない時の置き場所の選択肢が広がるといったメリットがある。
【０００７】
しかし、分解して占有体積を減らす目的は、置き場所の確保のみではなく、運搬する時の荷物における占有体積を減らす、という目的もある。特許文献１、特許文献２、および特許文献３に開示されたいずれの技術も、運搬時や保管時に各部品がバラバラとならないようにする、といった工夫がされているとは言い難い。
【０００８】
本願考案の目的は、分解組立ができるのみならず、運搬時や保管時に各部品がバラバラとならず、コンパクトなヘルメットを提供することにある。
【課題を解決するための手段】
【０００９】
（第一の考案）
本願における第一の考案は、着用者の頭部を覆う帽体を備えたヘルメットに係る。
前記の帽体（１０）を周方向に沿って上から頂部帽体（４０）、中央帽体（３０）、および基部帽体（２０）への三分割が可能であるように形成する。基部帽体（２０）の内寸（Ｄ２０）は、中央帽体（３０）の外寸（Ｄ３０）よりも大きく、且つ中央帽体（３０）の内寸（Ｄ３１）は、頂部帽体（４０）の外寸（Ｄ４０）よりも大きく形成する（図８参照）。
そして、前記の基部帽体（２０９には、着用者の顎へ通すことでヘルメットが着用者から外れにくくするための顎紐（１５）の端部を固定しており、その顎紐（１５）は、前記の基部帽体（２０）の内側へ前記の中央帽体（３０）を入れるとともに、前記の中央帽体（３０）の内側へ前記の頂部帽体（４０）を入れた状態で固定可能とする。
【００１０】
（作用）
基部帽体（２０）の内側へ中央帽体（３０）を入れるとともに、中央帽体（３０）の内側へ頂部帽体（４０）を入れることができる。
また、この状態で、顎紐（１５）を用いて三つの分割体である頂部帽体（４０）、中央帽体（３０）、および基部帽体（２０）を固定する。この状態について、帽体（１０）を分解せずに頂部帽体（４０）を上にしておいた状態と比較すると、高さ方向の寸法が明らかに小さくなる。また、顎紐（１５）によって固定しているため、三つの分割体がバラバラにならずにまとまっている。そのため、保管、持ち運びの際の占有体積が減少する。
【００１１】
（バリエーション１）
第一の考案に係るヘルメットは、以下のように形成してもよい。
すなわち、前記の帽体（１０）は、着用者の頭部側における内部空間および外部空間を連通させる連通路（４９）と、その連通路（４９）を前記の帽体における外表面から上方へ開閉可動な出窓体（４１）と、を備える。
そして、前記の連通路（４９）を閉塞させた場合に前記の帽体（１０）における外表面と前記の出窓体（４１）の外表面とが円滑な状態となるように帽体（１０）と出窓体（４１）とが固定される固定構造を備えることとしてもよい（図１，図３参照）。
【００１２】
（用語説明）
出窓体（４１）は、連通路による通気量を大きくすることを意図して複数（左後出窓４１Ａ、右後出窓４１Ｂ）を備える（図１参照）ことが望ましいが、単数でもよい。
「固定構造」は、たとえば、いわゆるオスメス部位を互いに備えた部材の組合せ、互いに係合する部材の組合せ、雄ねじ雌ねじの組合せなどによって達成する。たとえば雄ねじ雌ねじの組合せを採用すると、連通路（４９）の大きさを無段階に調整できる。
【００１３】
（作用）
本願に係るヘルメットを着用した着用者は、着用時に、出窓体（４１）が連通路（４９）を形成した状態を維持させるように固定構造を作動させる。すると、連通路（４９）が着用者の頭部側における内部空間および外部空間とを連通するので、着用状態を快適にする。
本願に係るヘルメットの使用を終了する際や降雨などの場合には、出窓体（４１）が連通路（４９）を閉塞させるように固定構造を作動させる。連通路（４９）が閉塞しており、帽体（１０）における外表面と出窓体（４１）の外表面とが円滑な状態なので、着用者の頭部側へ雨水が浸入することを防ぐことができる。
【００１４】
（バリエーション２）
第一の考案に係るヘルメットは、以下のように形成してもよい。
すなわち、前記の固定構造は、前記の出窓体（４１）が前記の帽体（１０）に対して着脱可能であるように形成してもよい（図２、図１１参照）。
【００１５】
（作用）
出窓体（４１）を帽体（１０）から取り外すことができるので、たとえばヘルメットを清掃することが可能である。工事現場、災害現場などでは、連通路（４９）や前記の固定構造へ砂塵が入り込むことがある。出窓体（４１）を帽体（１０）から取り外すことで、入り込んだ砂塵を清掃することで、開閉可動の機能をメンテナンスできる。
また、出窓体（４１）が破損したような場合に交換できる。異なる機能を備えた出窓体（４１）へ変更することも可能となる。
【００１６】
（バリエーション３）
第一の考案に係るヘルメットは、以下のように形成してもよい。
すなわち、前記の出窓体（４１）の外表面は、前記の帽体（１０）の外表面と色彩を異ならせることとしてもよい（図７参照）。
たとえば、２つの出窓体（４１Ａ，４１Ｂ）を備えたヘルメットにおいて、２つの出窓体（４１Ａ，４１Ｂ）をそれぞれ出窓体（４１）の外表面の色彩を異ならせることとしてもよい。
【００１７】
（作用）
建設現場などにおいて、高所で作業している作業者がその作業者よりも低所で作業している作業者を上方から見た際に、作業者個人または作業者の役割を見分けたい場合がある。そうした場合に、作業者の役割に応じて出窓体（４１）の色彩を予め決定しておき、それを装着することとしておけば、上述のようなニーズに応えられることとなる。高所で作業している作業者がその作業者よりも低所で作業している作業者のヘルメットにおける出窓体（４１）の色彩の違いを見分けることができるからである。
【００１８】
（バリエーション４）
第一の考案における前記の出窓体（４１）は、前記の帽体（１０）における頭頂部側の後部に備えることとしてもよい（図１、図１１参照）。
前記の帽体（１０）における着用者の着用時を基準とした左右方向を渡す左右リブ（１４）を備えている場合、その左右リブ（１４）よりも後方となる。
【００１９】
出窓体（４１）は、通気量を確保する観点からは数が多いほど良いが、ヘルメット全体を考えた場合に部品点数が増え、構造も複雑化する。それに伴って製造コストも増大する。したがって、少ない数で効果的な通気量を確保することを意図した場合、頭頂部側の後方が合理的である。
着用時のヘルメットは頭頂部側が最も温度が高いため、出窓体（４１）は頭頂部に近い場所へ連通路（４９）が位置することが望ましいからである。
また、帽体（１０）における後部へ出窓体（４１）が位置することが望ましいのは、ヘルメットの前部にはヘッドライトやゴーグルを装着する作業者が多いため、出窓体（４１）が設けられていては邪魔だからである。
【００２０】
（バリエーション５）
第一の考案は、以下のように形成してもよい。
すなわち、前記の固定構造は、前記の連通路（４９）の大きさを複数段階で変更可能であるように形成することとしてもよい（図４参照）。
たとえば、互いに係合する部材において、連通路を閉塞する場所で係合する第一ポジション、小さな連通路（４９Ａ）を確保する場所で係合する第二ポジション、大きな連通路（４９Ｂ）確保する場所で係合する第三ポジションを備えるような固定構造とするのである。
【００２１】
（作用）
ヘルメットの着用者は、状況に応じて連通路（４９）の大きさを複数段階で変更することができる。
小雨が降っているような場合や寒冷地で使用する場合には、小さな連通路（４９Ａ）とし、晴天時や温暖地で使用する場合には、大きな連通路（４９Ｂ）とする。
【００２２】
（バリエーション６）
第一の考案は、以下のように形成してもよい。
すなわち、前記の固定構造における帽体（１０）側において、前記の連通路（４９）からの帽体（１０）内部への雨水の吹き込みを抑制するための水返し部（４８）を備えることとすると、より好ましい（図３，図４参照）。
たとえば、水返し部（４８）は、帽体（１０）側における連通路（４９）の最も外側に近い箇所を立ち上げて形成する。
【００２３】
（作用）
水返し部（４８）を備えていることで、連通路（４９）からの帽体（１０）内部への雨水の吹き込みが抑制される。
【００２４】
（バリエーション７）
第一の考案は、以下のように形成してもよい。
すなわち、前記の出窓体（４１）は、前記の帽体（１０）を形成する素材よりも軟質の樹脂成型体とするのである。
たとえば、帽体（１０）は、金属または硬質樹脂（一般にはＡＢＳなど）にて形成されている。出窓体（４１）は、ＡＢＳよりも軟質な、たとえばポリプロピレン（ＰＰ）にて形成する。
出窓体（４１）は、帽体（１０）に比べて軟らかい材質なので、連通路（４９）の開放および閉塞を繰り返しても、帽体（１０）が破損するおそれは小さい。
【００２５】
（バリエーション８）
第一の考案は、基部帽体（２０）の内側前部に、出し入れ可能なゴーグル（７０）を内蔵することとしてもよい（図１１参照）。
ゴーグル（７０）は、基部帽体（２０）の内側の曲率に近い曲面を備えて形成されていると、出し入れが円滑に行える。
ここで、ゴーグル（７０）とは、粉塵などから着用者の目を守る機能を備えたもの、強い光から着用者の目を守る機能を備えたものなど、着用者が使用する現場に応じて変更可能であると、より好ましい。
【００２６】
（バリエーション９）
第一の考案は、基部帽体（２０）の内側後部に、出し入れ可能な日除け（６０）を内蔵することとしてもよい（図１１参照）。
ここで、日除け（６０）とは、着用者の後頭部の下側（首付近）を直射日光が当たらないようにするものである。可撓性のある布状体で形成し、基部帽体（２０）の内側後部へ折り畳んで収納することが一般的である。
【００２７】
日除け（６０）を基部帽体（２０）ら出して用いれば、粉塵が着用者の背中側の衿口から浸入することを防ぐことにもなる。
また、耐久性のある素材で日除け（６０）を形成することで、小さな落下物から着用者の後頭部の下側（首付近）を保護したりする機能を果たすものを採用しても良い。
【考案の効果】
【００２８】
第一の考案によれば、分解組立ができるのみならず、運搬時や保管時に各部品がバラバラとならず、コンパクトなヘルメットを提供することができる。
【図面の簡単な説明】
【００２９】
【図１】第一の実施形態の全体を示す斜視図である。
【図２】第一の実施形態における主要部（出窓体とその固定構造）を示す斜視図である。
【図３】第一の実施形態における主要部（出窓体とその固定構造）を示す断面図である。
【図４】第二の実施形態における主要部（出窓体とその固定構造）を示す断面図である。
【図５】第三の実施形態における主要部（出窓体とその固定構造）を示す斜視図である。
【図６】第四の実施形態の全体を示す斜視図である。
【図７】第五および第六の実施形態の全体を示す斜視図である。
【図８】第一の実施形態に係るヘルメットを分解して収納する様子を示す斜視図である。
【図９】第一の実施形態に係るヘルメットを分解して収納した後の様子を示す斜視図である。
【図１０】第一の実施形態に係るヘルメットを分解および組立する場合に使用する分割固定体の動きを示す図である。
【図１１】第七の実施形態の全体を示す斜視図である。
【考案を実施するための形態】
【００３０】
（図１）
図１では、第一の実施形態の全体を概念的に示している。この実施形態に係るヘルメットは、主に次の二点を特徴としている。第一に、着用時に通気性を確保可能なヘルメットである点である。第二に、ヘルメットの帽体部分の周方向を周回する２つの境界線にて三分割することができる点である。
最初に、通気性に関する構成および作用について説明する。三分割できることに関する構成および作用については、他の図面を用いなければ十分に説明できないため、詳細については後述する。
【００３１】
第一の実施形態に係るヘルメットは、着用者の頭部を覆うとともに、使用していない状態では分割可能な帽体１０と、着用者の目の上付近を覆うこととなる庇１１と、その庇１１以外を周回する外縁１２と、を備えたヘルメットである。
この帽体１０は、着用者の頭部側における内部空間および外部空間を連通させる連通路４９と、その連通路４９を閉塞させることが可能な出窓体４１と、を備えている。出窓体４１は、帽体１０における外表面から上方の所定位置までの間を往復可動に、帽体１０に備えられている。連通路４９が形成された状態は図１（ａ）に、連通路４９が閉塞された状態は図１（ｂ）にそれぞれ示している。
【００３２】
前記の帽体１０は、周方向に沿って三分割が可能であるように形成している。前述した庇１１および外縁１２を含む部位を基部帽体２０、前述した連通路４９や出窓体４１を含む部位を頂部帽体４０、基部帽体２０および頂部帽体４０に挟まれた部位を中央帽体３０とする。
帽体１０は三分割されるものの、庇１１から頂部（分割されていない帽体１０の外縁１１を水平面へ載置した場合に最も高くなる部位）を通って後側へ至る前後リブ１３、および着用者の片側の耳上付近の外縁１２部分から頭頂部を通って他方側の耳上付近の外縁１２部分へ至る左右リブ１４が備えられている。前後リブ１３および左右リブ１４は、帽体１０の他の外表面部分から立ち上がった部位として形成されている。
【００３３】
左右リブ１４の両側および前後リブ１３の後側には、帽体１０を三分割したり分離した三つの部位を固定したりするための分割固定体５０を備えている。そして、それぞれの分割固定体５０を収めるため、前後リブ１３の後側には溝部１３Ａ（図７（ａ）、図１０参照）を、左右リブ１４の両側には２つの溝部１４Ａをそれぞれ備えている。
分割固定体５０の詳細については、図１０を用いて説明するので、ここでは省略する。
【００３４】
（図２）
図２を用いて、前述した出窓体４１およびその出窓体４１を固定するために頂部帽体４０へ形成される固定構造について説明する。
出窓体４１を固定するための固定構造は、頂部帽体４０に備えられる出窓支持体４５である。出窓体４１は、出窓支持体４５に対して着脱自在である。一方、出窓支持体４５は、出窓体４１との係合状態に応じて、連通路４９の確保および連通路４９の閉塞状態を作り出せる。
【００３５】
まず、図２（ｃ）を用いて、出窓体４１および出窓支持体４５の構造について説明する。
図２（ａ）は、連通路４９が存在しない状態（連通路４９が閉塞されている状態）、図２（ｂ）は、連通路４９が形成されている状態、図２（ｃ）は、出窓体４１が出窓支持体４５から外された状態、をそれぞれ示している。
出窓体４１は、頂部帽体４０の外表面に連続するような曲率の曲面を備えた扇板状の外装体４２と、その外装体４２における内側面の中央付近から突出するガイド４３と、そのガイド４３の両側においてガイド４３と同じ方向へ突出するストッパ４４とを備えて形成されている。
【００３６】
ガイド４３は、その長手方向に垂直な断面が十字形をなしている。
ストッパ４４は、第一ストッパ４４Ａと、その第一ストッパ４４よりも軸方向長さが短い第二ストッパ４４Ｂとを、隣り合わせて二組備えている。
第一ストッパ４４Ａにおける先端側には、ガイド４３側へ突出する突起を備えている。第二ストッパ４４Ｂは、先端よりもやや中央寄りに、ガイド４３側へ突出する突起を備えている。
【００３７】
出窓支持体４５は、ガイド部４３を挿入する内径のガイド筒部４６と、ストッパ４４を係合するストッパ受け部４７とを備えている。
ストッパ受け部４７は、第一ストッパ４４Ａに係合する第一受け部４７Ａと、第二ストッパ４４Ｂに係合する第二受け部４７Ｂとを備えている。
ストッパ４４およびストッパ受け部４７の関係については、図３を用いて詳述する。なお、図３にて描いている断面の位置は、図２（ａ）にＩおよびＩＩを図示している。
【００３８】
（図３）
図３（ａ）は、連通路４９が存在しない状態（連通路４９が閉塞されている状態）、図３（ｂ）は、連通路４９が形成されている状態、図３（ｃ）は、出窓体４１が出窓支持体４５から外された状態、をそれぞれ示している。
図３（ａ）では、ガイド部４３の先端は、ガイド筒部４６から大きくはみ出て貫通している。第二ストッパ４４Ｂおよび第二受け部４７Ｂが係合しており、すなわち、外力を加えて出窓体４１を動かそうとしない限り、連通路が閉鎖された状態が保たれる。
なお、第一ストッパ４４Ａおよび第一受け部４７Ａは係合していない。
【００３９】
図３（ｂ）では、ガイド部４３の先端は、ガイド筒部４６から貫通しているものの、突出長さは大きくない。第一ストッパ４４Ａおよび第一受け部４７Ａが係合しており、連通路４９が確保された状態で維持される。なお、第二ストッパ４４Ｂおよび第二受け部４７Ｂが係合していない。連通路４９が確保された状態で落下物が出窓体４１へ衝突しても、多くの場合、連通路４９が閉じる程度である。
図３（ｃ）では、ガイド部４３の先端は、ガイド筒部４６の端部に達しているものの、突出していない。第一ストッパ４４Ａおよび第一受け部４７Ａも、第二ストッパ４４Ｂおよび第二受け部４７Ｂも係合しておらず、出窓体４１は出窓支持体４５から外れる。
工事現場、災害現場などでは、連通路４９や前記の固定構造へ砂塵が入り込むことがある。しかし、出窓体４１を帽体１０から取り外すことで、入り込んだ砂塵を清掃できる。その結果、出窓体４１の開閉可動の機能をメンテナンスできる。
【００４０】
（図４）
図４は、出窓体および出窓支持体におけるストッパおよび受け部の形状や寸法を異ならせることによって、連通路の大きさを二段階とすることができる第二の実施形態を示している。
図４（ａ）は、連通路４９が存在しない状態（連通路４９が閉塞されている状態）、図４（ｂ）は、小さな連通路（小連通路４９Ａ）が形成されている状態、図４（ｃ）は、大きな連通路（大連通路４９Ｂ）が形成されている状態を、それぞれ示している。
【００４１】
図４（ａ）に示すように、第二の実施形態では、第一の実施形態における第二ストッパ４４Ｂの代わりに二段階ストッパ４４Ｃを、第二受け部４７Ｂの代わりに二段階受け部４７Ｃを備えている。二段階ストッパ４４Ｃには、第二ストッパ４４Ｂが１つとしていた突起を２つ備えている。また、二段階受け部４７Ｃには、第二受け部４７Ｂが１つとしていた突起を２つ備えている。
ガイド４３は、第一の実施形態におけるものよりも軸方向寸法を長くしており、図４（ａ）では、図３（ａ）よりもガイド筒部４６から大きく突出している。第一ストッパ４４Ａおよび第一受け部４７Ａもまた、第一の実施形態におけるものよりも軸方向寸法を長く形成している。
図４（ａ）では、二段階ストッパ４４Ｃにおける外装体４２側の突起は、二段階受け部４７Ｃにおける帽体１０内部側の突起に接している（係合状態）。すなわち、外力を加えて出窓体４１を動かそうとしない限り、連通路が閉鎖された状態が保たれる。
なお、第一ストッパ４４Ａおよび第一受け部４７Ａは、係合していない。
【００４２】
図４（ｂ）では、二段階ストッパ４４Ｃにおける外装体４２側の突起は、二段階受け部４７Ｃにおける２つの突起の間に挟まれた状態で係合しており、小連通路４９Ａが確保された状態で維持される。
また、このとき、ガイド４３は、ガイド筒部４６からやや突出している。また、第一ストッパ４４Ａおよび第一受け部４７Ａは、未だに係合していない。
小雨が降っているような場合や寒冷地で使用する場合には、この小連通路４９Ａを確保した状態とすることで、本実施形態に係るヘルメットの着用者は、快適に使用できる。
【００４３】
図４（ｃ）では、二段階ストッパ４４Ｃにおける外装体４２側の突起は、二段階受け部４７Ｃにおける２つの突起を乗り越えた状態となり、係合が外れた状態となっている。一方、第一ストッパ４４Ａおよび第一受け部４７Ａは係合しており、大連通路４９Ｂが確保された状態で維持される。
気温が高い、湿度が高いなどの場合には、この大連通路４９Ｂを確保した状態とすることで、本実施形態に係るヘルメットの着用者は、快適に使用できる。
【００４４】
（水返し部４８）
図３および図４において示される第一および第二の実施形態における水返し部４８について説明する。
いずれの実施形態も、頂部帽体４０に備えられる出窓支持体４５には、連通路４９，４９Ａ，４９Ｂからの帽体１０内部への雨水の吹き込みを抑制するための水返し部４８を備えている。この水返し部４８は、出窓支持体４５側における連通路４９，４９Ａ，４９Ｂの最も外側に近い箇所を立ち上げて形成している。
【００４５】
（図５）
図５に示す実施形態は、第一の実施形態に係る出窓体４１のバリエーションである。
ガイド４３の軸方向長さを、第一の実施形態の場合よりも長く形成しておき、出窓支持体４５のガイド筒部４６を貫通させる。そして、ガイド４３の先端部分を熱で変形させることで、出窓体４１を出窓支持体４５（帽体１０）から取り外せなくする。
この実施形態によれば、出窓体４１を紛失するおそれが小さくなる。
【００４６】
（図６）
図６に示す実施形態は、これまでに説明してきた実施形態と異なり、帽体部分を分割できない帽体１０Ｇとしている。
また、これまでの実施形態では、出窓体４１は、頂部帽体４０における後部分（左右リブ１４よりも後方）へ２つ（左後出窓４１Ａ、右後出窓４１Ｂ）を備えることとしていた。しかし、この実施形態においては、頂部帽体４０における前部分（左右リブ１４よりも前方）にも、左前出窓４１Ｃおよび右前出窓４１Ｄという出窓体をも備えることとした。
【００４７】
出窓体４１は、前記の帽体１０を形成する素材よりも軟質の樹脂で成型したものである。
より具体的には、本実施形態に係る帽体１０は、ＡＢＳ樹脂にて形成されている。そして、出窓体４１は、ＡＢＳよりも軟質な、たとえばポリプロピレン（ＰＰ）にて形成する。
出窓体４１は、連通路４９の開放および閉塞を繰り返しても、帽体１０（特に、出窓体４１と係合脱着を繰り返す出窓支持体４５）が破損するおそれは小さい。
【００４８】
分割帽体１０へ出窓体４１（およびその固定構造）を備える場合、頂部帽体４０へ備えることとするのが合理的で効果的であった。しかし、分割帽体１０ではなく、分割できない帽体１０Ｇへ出窓体４１（およびその固定構造）を備えることとすることで、出窓体４１の場所や大きさ、数の自由度を広げることができる。
【００４９】
（図７（ａ））
図７（ａ）は、第五の実施形態を示す斜視図である。
この実施形態は、帽体１０に対して備えた出窓体４１について、カラーバリエーションを加えたことを示している。すなわち、左後色付き出窓体４１Ｅ、右後色付き出窓体４１Ｆ、および帽体１０それぞれの外表面の色彩を全て異ならせている。
前述したように、出窓体４１は、着脱可能であるので、左後色付き出窓体４１Ｅおよび右後色付き出窓体４１Ｆのカラーバリエーションを揃えることで、色柄が多数種類となるヘルメットを提供できる。
【００５０】
色柄が多数種類となるヘルメットが望まれているのは、たとえば建設現場などにおいて、高所で作業している作業者がその作業者よりも低所で作業している作業者を上方から見た際に、作業者個人または作業者の役割を見分けたい場合である。たとえば作業者の役割に応じて左後色付き出窓体４１Ｅおよび右後色付き出窓体４１Ｆの色彩を予め決定しておき、それを装着することとしておけば、上述のようなニーズに応えられる。高所で作業している作業者がその作業者よりも低所で作業している作業者のヘルメットにおける左後色付き出窓体４１Ｅおよび右後色付き出窓体４１Ｆの色彩の違いを見分けることができるからである。
【００５１】
（図７（ｂ））
図７（ｂ）は、第六の実施形態を示す斜視図である。
この実施形態は、一体型の帽体１０Ｇへ、これまでの実施形態とは異なる出窓体の形状や数を備えたものとしている（出窓体を固定する出窓支持体については、前述した構成と同じであるので、図示を省略する）。より具体的には、左後出窓体４１Ａなどよりも上下方向寸法が大きい左後長出窓体４１Ｇ、右後長出窓体４１Ｈ、左前長出窓体４１Ｊ、左後長出窓体４１Ｋとしている。
また、左後長出窓体４１Ｇ、右後長出窓体４１Ｈ、左前長出窓体４１Ｊ、左後長出窓体４１Ｋのそれぞれは、第五の実施形態と同様、色を異ならせている。
【００５２】
分割可能な帽体１０ではなく、一体型の帽体１０Ｇへ出窓体を設けることで、その形状の自由度を高めることができる。帽体の内部空間と外部との換気量は、連通路の大きさに概ね比例し、頂部付近の換気量が多いほど換気効率が良いので、出窓体の輪郭線の長さを頂部付近で稼げる形状などを工夫することができる。
【００５３】
（図８）
図８では、第一の実施形態に係るヘルメットを分解し、収納する直前の様子を示す。説明の都合上、各部材の「上下」は、着用者が本実施形態に係るヘルメットを着用した場合を想定して、頂部側を「上」として定める。
基部帽体２０における上側の内寸Ｄ２０は、中央帽体３０における下側の外寸Ｄ３０よりも大きい。たとえば、基部帽体２０の下の内側であって鍔１１の中央から基部帽体２０の下面がなす略楕円形の中心を通って反対側へ到達する線（基部縦内寸線とする）の寸法は、中央帽体３０の下において前後リブ１３の中央を結んだ外寸よりも大きい。基部縦内寸線の中心で直交する線（基部横内寸線）の寸法も、中央帽体３０における横外寸線の寸法よりも大きい。
これによって、基部帽体２０の内側へ中央帽体３０が収まることとなる。
【００５４】
中央帽体３０と頂部帽体４０との関係も、基部帽体２０と中央帽体３０との関係と同様である。すなわち、中央帽体３０の内寸Ｄ３１は、頂部帽体４０の外寸Ｄ４０よりも大きい。これによって、中央帽体３０の内側へ頂部帽体４０が収まることとなる。
換言すれば、基部帽体２０、中央帽体３０、および頂部帽体４０の寸法が上述したような関係となるように、帽体の輪郭や細部の傾斜角度などを採択し、決定していることとなる。
【００５５】
（図９）
図９は、図８で示した中央帽体３０および頂部帽体４０を、基部帽体２０に備えられた顎紐１５によって固定した状態を示している。
顎紐１５は基部帽体２０の左右で独立して固定されているとともに、着用者への着用時には左右をつなげるワンタッチファスナを備えているので、そのワンタッチファスナを用いて中央帽体３０および頂部帽体４０を留め置くのである。
図示を省略しているが、基部帽体２０にはヘルメットにおけるハンモック部材が顎紐１５と反対側（上側）へ備えられている。したがって、ハンモック部材が内部空間で占有するスペースの分、中央帽体３０および頂部帽体４０が浮き上がって留め置かれることとなる場合が多い。
また、図示を省略しているが、図９に示した状態のヘルメットを収納できる専用の袋を準備している。そのため、運搬時や保管時に便利であるとともに、分解後に留め置いた状態が正常でない場合にそのことに気づきやすい。
【００５６】
（図１０）
図１０は、分割帽体１０における前後リブ１３における後側、および左右リブ１４の両側という合計３箇所に備えられる分割固定体５０について、その構造および作動を示している。この図においては、左右リブ１４における固定体用溝１４Ａを例として図示する。
分割固定体５０は、頂部帽体４０における固定体用溝１４Ａの中央帽体３０側に設けられた断面略Ｌ字形の分割固定体頂部５１と、その分割固定体頂部５１における中央帽体３０側に設けられた頂部軸５２と、その頂部軸５２に対して回動自在に軸支持された頂部引っ掛けレバー５３と、その頂部引っ掛けレバー５３の中央付近に設けられたレバー軸５４と、そのレバー軸５４に対して回動自在に軸支持された基部引っ掛けレバー５５とからなる。
【００５７】
基部帽体２０における固定体用溝１４Ａの中央帽体３０側には、基部引っ掛けレバー５５と係合する分割固定片２１が備えられている。
中央帽体３０における固定体用溝１４Ａには、分割された基部帽体２０、中央帽体３０、および頂部帽体４０を組み立てるための部材は存在しない。頂部帽体４０に設けられた分割固定体５０と分割固定片２１とに挟まれ、動かなくなることで基部帽体２０、中央帽体３０、および頂部帽体４０が組み上がる。
【００５８】
図１０（ａ）は、分割固定体５０が分割固定片２１との係合が解かれた状態（または組立前の状態）を示す。
図１０（ｂ）は、分割固定体５０が分割固定片２１との係合が解かれた直後の状態（または組立直前の状態）を示す。
図１０（ｃ）は、分割固定体５０が分割固定片２１と係合した状態を示す。分割固定片２１および分割固定体頂部５１が弾性変形するバネ性によって、頂部引っ掛けレバー５３および基部引っ掛けレバー５５が係合した状態を保っている。そのバネ性に抗したが威力を使うことで係合状態を解除し、基部帽体２０、中央帽体３０、および頂部帽体４０への分解をすることとなる。
図１０（ｄ）は、分割固定体５０が分割固定片２１と係合した状態を示す斜視図である。
【００５９】
分割固定体５０は、図８および図９に図示するように、基部引っ掛けレバー５５が頂部帽体４０の内側へ位置するようにすることで、分割して収納する際に安定する。頂部引っ掛けレバー５３の端部は、基部帽体２０の内側に収まる。
【００６０】
（図１１）
図１１には、基部帽体２０の内側前部へゴーグル７０を、基部帽体２０に内側後部へ日除け６０をそれぞれ備えた第七の実施形態を示している。
ゴーグル７０は、基部帽体２０の内側の曲率に近い曲面を備えて形成されており、その出し入れが円滑に行える。
使用する際には、基部帽体２０から下方へスライドさせ、着用者の目の前に位置させる。使用を終了した場合には、基部帽体２０の内部へ収納する。
なお、ゴーグル７０は、着用者がヘルメットを着用する状況に応じた種類を選択可能、すなわち交換可能であることが望ましい。ゴーグル７０の種類としては、たとえば粉塵などから着用者の目を守る機能を備えたもの、強い光から着用者の目を守る機能を備えたものなどがある。
【００６１】
日除け６０は、着用者の後頭部の下側（首付近）を直射日光が当たらないようにする布製のものが一般的である。日除け６０を基部帽体２０から出して用いれば、粉塵が着用者の背中側の衿口から浸入することを防げる。
なお、耐久性のある素材で日除け６０を形成してもよい。小さな落下物から着用者の後頭部の下側（首付近）を保護することに寄与する。
日除け６０もゴーグル７０も、基部帽体２０と図示を省略したハンモックとの間のスペースを有効活用している。
【産業上の利用可能性】
【００６２】
本考案は、ヘルメットの製造業、ヘルメットを含む工事用具のレンタル業、災害用品に製造販売業などにおいて、利用可能性を有する。
【符号の説明】
【００６３】
１０  ；分割帽体                  １０Ｇ；一体型帽体
１１  ；庇                        １２  ；外縁
１３  ；前後リブ                  １３Ａ；固定体用溝
１４  ；左右リブ                  １４Ａ；固定体用溝
１５  ；顎紐
２０  ；基部帽体                  Ｄ２０；基部帽体の内寸
２１  ；分割固定片
３０  ；中央帽体                  Ｄ３０；中央帽体の外寸
Ｄ３１；中央帽体の内寸
４０  ；頂部帽体                  Ｄ４０；頂部帽体の外寸
４１  ；出窓体                    ４１Ａ；左後出窓体
４１Ｂ；右後出窓体                ４１Ｃ；左前出窓体
４１Ｄ；右前出窓体                ４１Ｅ；左後色付き出窓体
４１Ｆ；右後色付き出窓体          ４１Ｇ；左後長出窓体
４１Ｈ；右後長出窓体              ４１Ｊ；左前長出窓体
４１Ｋ；右前長出窓体
４２  ；外装体
４３  ；ガイド                    ４３Ｄ；ガイド抜け止め
４４  ；ストッパ                  ４４Ａ；第一ストッパ
４４Ｂ；第二ストッパ              ４４Ｃ；二段階ストッパ
４５  ；出窓支持体                ４５Ｃ；二段階出窓支持体
４６  ；ガイド筒部
４７  ；ストッパ受け部            ４７Ａ；第一受け部
４７Ｂ；第二受け部                ４７Ｃ；二段階受け部
４８  ；水返し部
４９  ；連通路                    ４９Ａ；小連通路
４９Ｂ；大連通路
５０  ：分割固定体                ５１  ；分割固定体頂部
５２  ；頂部軸                    ５３  ；頂部引っ掛けレバー
５４  ；レバー軸                  ５５  ；基部引っ掛けレバー
６０  ；日除け
７０  ；ゴーグル
【図１】
0003215347.tif 000003
【図２】
0003215347.tif 000004
【図３】
0003215347.tif 000005
【図４】
0003215347.tif 000006
【図５】
0003215347.tif 000007
【図６】
0003215347.tif 000008
【図７】
0003215347.tif 000009
【図８】
0003215347.tif 000010
【図９】
0003215347.tif 000011
【図１０】
0003215347.tif 000012
【図１１】
0003215347.tif 000013
【手続補正書】
【提出日】平成30年1月11日(2018.1.11)
【手続補正１】
【補正対象書類名】実用新案登録請求の範囲
【補正対象項目名】全文
【補正方法】変更
【補正の内容】
【実用新案登録請求の範囲】
【請求項１】
着用者の頭部を覆う帽体を備えたヘルメットであって、
前記の帽体を周方向に沿って上から頂部帽体、中央帽体、および基部帽体への三分割が可能であるように形成するとともに、
前記の基部帽体の内寸は、前記の中央帽体の外寸よりも大きく、且つ
前記の中央帽体の内寸は、前記の頂部帽体の外寸よりも大きく形成し、
前記の基部帽体には、着用者の顎へ通すことでヘルメットが着用者から外れにくくするための顎紐の端部を固定しており、
その顎紐は、前記の基部帽体の内側へ前記の中央帽体を入れるとともに、前記の中央帽体の内側へ前記の頂部帽体を入れた状態で固定可能としたヘルメット。
【請求項２】
前記の頂部帽体には、着用者の頭部側における内部空間および外部を連通させる連通路と、
その連通路を前記の帽体における外表面から上方へ開閉可動な出窓体と、
前記の連通路を閉塞させた場合に前記の帽体における外表面と前記の出窓体の外表面とが円滑な状態となるように帽体と出窓体とが固定される固定構造と、
を備えた請求項１に記載のヘルメット。
【請求項３】
前記の固定構造は、前記の連通路を形成した状態を維持可能に形成するとともに、
前記の出窓体が前記の帽体に対して着脱可能とした請求項２に記載のヘルメット。
【請求項４】
前記の出窓体の外表面は、前記の帽体の外表面と色彩を異ならせることとした請求項２または請求項３に記載のヘルメット。
【請求項５】
前記の出窓体は、前記の帽体における頭頂部側の後部に備えることとした請求項２から請求項４のいずれかに記載のヘルメット。
【請求項６】
前記の固定構造は、前記の連通路の大きさを複数段階で変更可能であるように形成した請求項２から請求項５のいずれかに記載のヘルメット。
【請求項７】
前記の固定構造における帽体側において、前記の連通路からの帽体内部への雨水の吹き込みを抑制するための水返し部を備えた請求項２から請求項６のいずれかに記載のヘルメット。
【請求項８】
前記の出窓体は、前記の帽体を形成する素材よりも軟質の樹脂成形体である請求項２から請求項７のいずれかに記載のヘルメット。
【請求項９】
前記の基部帽体の内側前部には、出し入れ可能なゴーグルを内蔵した請求項１から請求項８のいずれかに記載のヘルメット。
【請求項１０】
前記の基部帽体の内側後部には、出し入れ可能な日除けを内蔵した請求項１から請求項９のいずれかに記載のヘルメット。